(57)【特許請求の範囲】
【請求項１】
引戸の開閉方向に移動可能に設けられ係合部を有し装置本体から突出するストップ部材と該ストップ部材方向に突出する衝突部を一端に有し他端に横方向に延びる作用アーム部を有し上記衝突部がストップ部材の係合部に係合するよう回動方向に付勢された回動部材を設けた装置本体と、該装置本体のストップ部材が当接するキッカー及び上記ストップ部材がキッカー方向に移動するときには通過を許容し該キッカーから離れる方向に移動するときには該ストップ部材の移動を一時的に制動したのち移動を許容する復帰機構を含む停止復帰装置を具備し、上記装置本体と停止復帰装置のうちのいずれか一方の装置を枠体側に設け、他方の装置を引戸側に設け、引戸を閉鎖方向若しくは開放方向に移動して上記キッカーとストップ部材が当接して上記回動部材の衝突部とストップ部材の係合部が衝突したときこの係合状態をロックして引戸の移動を停止させ、上記引戸を移動する力を緩めたとき上記衝突部が係合部から外れる方向に回動部材が回動してロック状態を解除し上記ストップ部材をキッカーに当接した状態で相対的に戸尻側若しくは戸先側に移動させつつ引戸を閉鎖方向若しくは開放方向に移動でき、該引戸を開放方向若しくは閉鎖方向に移動するとき上記ストップ部材の移動を停止復帰装置により一時的に制動して引戸の戸先側若しくは戸尻側に移動するようにした引戸用指詰防止装置。
【請求項２】
上記回動部材は、引戸を閉鎖方向若しくは開放方向に移動して上記回動部材の衝突部とストップ部材の係合部が係合したとき相対的に引戸の戸尻方向若しくは戸先方向に移動するよう引戸の開閉方向に移動可能に設けられるとともに、引戸の戸先方向若しくは戸尻方向に付勢され、該回動部材が相対的に引戸の戸尻方向若しくは戸先方向に移動して回動部材の衝突部とストップ部材の係合部がロックした状態となり、引戸を閉鎖若しくは開放する力を緩めるか消失するとき、回動部材の衝突部とストップ部材の係合部の係合が外れる方向に回動部材が回動するよう上記回動部材の作用アーム部と本体のホルダーには上記回動部材を回動方向に付勢する付勢力より大きな反発力を生じさせる磁石が設けられ、上記衝突部とストップ部材の係合部の係合が外れて引戸を閉鎖方向若しくは開放方向に移動したとき上記回動部材を戸先方向若しくは戸尻方向に付勢する付勢力で回動部材を相対的に引戸の戸先方向若しくは戸尻方向に移動すると共に回動方向に付勢する付勢力で回動部材を回動して衝突部がストップ部材側に突出した状態に復帰するようにした請求項１に記載の引戸用指詰防止装置。
【請求項３】
上記ホルダーには、上記回動部材の衝突部がストップ部材方向に突出しているとき磁力により上記作用アーム部に設けた磁石と吸引する吸着板が設けられている請求項２に記載の引戸用指詰防止装置。
【請求項４】
上記復帰機構は、上記キッカー方向に傾斜する傾斜面を先端に有し該キッカー方向に回動するドッグと、該ドッグを上記装置本体方向に向けて進退可能に付勢しかつドッグ先端が突出するよう回動方向に付勢するドッグばねを具備する請求項１に記載の引戸用指詰防止装置。
【請求項５】
上記ストップ部材若しくは回動部材には緩衝部材が設けられている上記請求項１から３のいずれかに記載の引戸用指詰防止装置。
【請求項６】
上記ストップ部材若しくはキッカーには衝撃緩和装置が設けられている上記請求項１〜５のいずれかに記載の引戸用指詰防止装置。
【請求項７】
上記衝撃緩和装置は当接時の衝撃を緩和する緩衝ばねと、キッカー若しくはストップ部材の移動を制動する制動装置を含み、緩衝ばねによるキッカー若しくはストップ部材の復帰を遅延させるよう上記制動装置とキッカー若しくはストップ部材を連結部材で連絡した請求項６に記載の引戸用指詰防止装置。
【請求項８】
上記請求項１〜７のいずれかの指詰防止装置を備えた引戸。
【発明の詳細な説明】
【技術分野】
【０００１】
本発明は、障子や引戸を開閉する際に枠体との間に指を挟み込まないようにした引戸用指詰防止装置に関する。
【背景技術】
【０００２】
引き違い障子、片引き障子、引き違い引戸、片引き引戸（以下単に引戸という）は、近年大型化、複層ガラス化により重量が大幅に増加した一方で、性能向上により開閉操作力は軽くなってきている。そのため、閉鎖時に指、手、特に小さな子供の場合には首、頭等を引戸と戸枠の間に挟み込んで大きな事故に繋がる危険性があり、そのような事故を防ぐための指詰防止装置が求められていた。そこで、引戸が戸枠に近づいたとき一旦引戸の移動を停止させるようにした指詰防止装置が提案されている（例えば、特許文献１参照）。
【０００３】
上記特許文献１に記載されている指詰防止装置は、引戸の移動速度が所定速度以下のとき、磁石の反発力により戸閉成阻止ユニットが退避して引戸が閉まるようにし、引戸が該ユニットの退避速度を上回る速度で閉められるときは、戸閉成ユニットを引戸に当てて指詰まりを防止しようとするものである。その他、磁石を利用した種々の指詰防止装置が提案されているが、いずれも引戸の速度が遅いときには指詰防止装置が作動せず、一定の速度を超えて引戸が閉められるときに指詰防止装置が作動して、引戸の移動を停止させるよう構成されている。したがって、従来の装置では、磁石の反発力と引戸の移動速度を微妙に調整しなければならないので、現場に設置する際の調整がむずかしく、長期にわたって使用中に狂いを生じるおそれもあり、好ましいものではなかった。また、指詰防止装置のメカを引戸、枠体に取り付ける際、据え付け現場で微調整する必要があると、取り扱いが面倒であり、そのような現場調整が不要な装置が望まれていた。
【先行技術文献】
【特許文献】
【０００４】
【特許文献１】特開平８−８２１５７号公報（請求項１、図１）
【発明の概要】
【発明が解決しようとする課題】
【０００５】
本発明の解決課題は、上記のように引戸の移動速度の大小によらず、確実に指詰防止間隙を存して引戸の移動を停止させ、その後自動的に停止状態を解除して引戸を完全に閉鎖できるようにでき、据え付け現場での微調整が不要な引戸用指詰防止装置を提供することである。
なお、指詰防止装置は引戸を閉鎖する場合だけでなく、開放するときにも枠体との間で指等を挟み込むおそれのある場所で使用することができ、また、本発明において、「戸先」とは、引戸を移動する際の先端側をいい、「戸尻」とは後端側をいう。
【課題を解決するための手段】
【０００６】
本発明によれば、引戸の開閉方向に移動可能に設けられ係合部を有し装置本体から突出するストップ部材と該ストップ部材方向に突出する衝突部を一端に有し他端に横方向に延びる作用アーム部を有し上記衝突部がストップ部材の係合部に係合するよう回動方向に付勢された回動部材を設けた装置本体と、該装置本体のストップ部材が当接するキッカー及び上記ストップ部材がキッカー方向に移動するときには通過を許容し該キッカーから離れる方向に移動するときには該ストップ部材の移動を一時的に制動したのち移動を許容する復帰機構を含む停止復帰装置を具備し、上記装置本体と停止復帰装置のうちのいずれか一方の装置を枠体側に設け、他方の装置を引戸側に設け、引戸を閉鎖方向若しくは開放方向に移動して上記キッカーとストップ部材が当接して上記回動部材の衝突部とストップ部材の係合部が衝突したときこの係合状態をロックして引戸の移動を停止させ、上記引戸を移動する力を緩めたとき上記衝突部が係合部から外れる方向に回動部材が回動してロック状態を解除し上記ストップ部材をキッカーに当接した状態で相対的に戸尻側若しくは戸先側に移動させつつ引戸を閉鎖方向若しくは開放方向に移動でき、該引戸を開放方向若しくは閉鎖方向に移動するとき上記ストップ部材の移動を停止復帰装置により一時的に制動して引戸の戸先側若しくは戸尻側に移動するようにした引戸用指詰防止装置が提供され、上記課題が解決される。
【０００７】
さらに本発明によれば、上記引戸用指詰防止装置において、上記回動部材は、引戸を閉鎖方向若しくは開放方向に移動して上記回動部材の衝突部とストップ部材の係合部が係合したとき相対的に引戸の戸尻方向若しくは戸先方向に移動するよう引戸の開閉方向に移動可能に設けられるとともに引戸の戸先方向若しくは戸尻方向に付勢され、該回動部材が相対的に引戸の戸尻方向若しくは戸先方向に移動した状態から引戸を閉鎖方向若しくは開放方向に移動させるとき、回動部材の衝突部とストップ部材の係合部の係合が外れる方向に回動部材が回動するよう上記回動部材の作用アーム部と本体のホルダーには上記回動部材を回動方向に付勢する上記付勢力より大きな反発力を生じさせる磁石が設けられ、上記衝突部とストップ部材の係合部の係合が外れて引戸を閉鎖方向若しくは開放方向に移動したとき上記回動部材を戸先方向若しくは戸尻方向に付勢する上記付勢力で回動部材を相対的に引戸の戸先方向若しくは戸尻方向に移動すると共に回動方向に付勢する上記付勢力で回動部材を回動して衝突部がストップ部材側に突出した状態に復帰するようにした引戸用指詰防止装置が提供され、上記課題が解決される。
【０００８】
また、本発明によれば、上記引戸用指詰防止装置において、上記ストップ部材、回動部材、キッカーの適所に衝撃緩和装置が設けられている上記引戸用指詰防止装置が提供される。
【発明の効果】
【０００９】
本発明は上記のように構成され、引戸の開閉方向に移動可能に設けられ係合部を有し装置本体から突出するストップ部材と該ストップ部材方向に突出する衝突部を一端に有し他端に横方向に延びる作用アーム部を有し上記衝突部がストップ部材の係合部に係合するよう回動方向に付勢された回動部材を設けた装置本体と、該装置本体のストップ部材が当接するキッカー及び上記ストップ部材がキッカー方向に移動するときには通過を許容し該キッカーから離れる方向に移動するときには該ストップ部材の移動を一時的に制動したのち移動を許容する復帰機構を含む停止復帰装置を具備し、上記装置本体と停止復帰装置のうちのいずれか一方の装置を枠体側に設け、他方の装置を引戸側に設け、引戸を閉鎖方向若しくは開放方向に移動して上記キッカーとストップ部材が当接して上記回動部材の衝突部とストップ部材の係合部が衝突したときこの係合状態をロックして引戸の移動を停止させ、上記引戸を移動する力を緩めたとき上記衝突部が係合部から外れる方向に回動部材が回動してロック状態を解除し上記ストップ部材をキッカーに当接した状態で相対的に戸先側若しくは戸尻側に移動させつつ引戸を閉鎖方向若しくは開放方向に移動でき、該引戸を開放方向若しくは閉鎖方向に移動するとき上記ストップ部材の移動を停止復帰装置により一時的に制動して引戸の戸先側若しくは戸尻側に移動するようにしたから、引戸を閉鎖方向に移動して閉鎖する際や開放方向に移動して開放する際、引戸の移動速度の大小によらず、ストップ部材がキッカーに当接した位置でストップ部材の係合部と回動部材の衝突部が衝突してストップ部材と回動部材がロックされ、引戸の移動が停止し、引戸の戸先と枠体間に所定の空間を形成することができ、確実に指、手、頭等を挟み込まないようにすることができる。そして、引戸を移動する力を緩めるとロック状態が解除され回動部材の衝突部がストップ部材から外れ、ストップ部材を相対的に戸尻側に移動させつつ引戸を閉鎖若しくは開放することができるから、使用上、従来の引戸と同じように開閉でき、便利である。
【００１０】
そして、上記ストップ部材、回動部材、キッカー等の当接部分に適宜の衝撃緩和装置を設けると、引戸が停止する際の衝撃が緩和され、引戸が跳ね返るおそれがなく、開閉し易い。その上、上記ストップ部材の係合部と回動部材の衝突部の微調整を組立工場内で済ませておくことができるから、据え付け現場では面倒な微調整が不要になり、作業性がよい。
【図面の簡単な説明】
【００１１】
【図１】引戸（障子）の説明図。
【図２】本発明の一実施例を示す正面図。
【図３】装置本体の側面図。
【図４】装置本体の平面図。
【図５】引戸が閉鎖位置に近づいた状態の説明図。
【図６】ストップ部材が復帰機構のドッグに衝突した状態の説明図。
【図７】復帰機構のドッグを押し退けてストップ部材が移動した状態の説明図。
【図８】ストップ部材がキッカーに当接した状態の説明図。
【図９】引戸の移動に伴い回動部材が相対的に戸尻方向に移動している状態の説明図。
【図１０】ストップ部材と回動部材がロックした状態の説明図。
【図１１】回動部材が回動して衝突部がストップ部材から外れるときの説明図。
【図１２】引戸が閉鎖状態に至ったときの説明図。
【図１３】閉鎖状態から引戸を開き始めてストップ部材にドッグに当った状態の説明図。
【図１４】回動部材が回動を始めた状態の説明図。
【図１５】回動部材が水平状態になった状態の説明図。
【図１６】衝撃緩衝装置の一実施例を示す側面図。
【図１７】制動装置の一実施例を示す側面図。
【発明を実施するための形態】
【００１２】
指詰防止装置は、種々の場所で使用することができるが、図１に示す実施例は、戸枠や窓枠等の枠体１と、この枠体１内で開閉可能に組み込まれた引戸（障子）２間に設けられ、以下引戸を閉鎖する際に、枠体の竪枠３との間に指等を挟み込まない空間（間隙）４を形成した位置で引戸の移動を一時的に停止させ、その後に完全に閉鎖できるようにした実施例につき説明する。
【００１３】
図２を参照し、本発明の指詰防止装置は、係合部５を有するストップ部材６と衝突部１５を有する回動部材７を設けた装置本体８と、該ストップ部材６が当接するキッカー４５及び該ストップ部材６がキッカー４５方向に移動するときには通過を許容し、該キッカーから離れる方行に移動するときには該ストップ部材の移動を一時的に制動したのち移動を許容する復帰機構４６を含む停止復帰装置４７を具備し、これらの装置８、４７のうちいずれか一方を枠体１に取り付け、他方の装置を引戸２に取り付けてある。図２に示す実施例では、枠体１の上枠９に停止復帰装置４７を取り付け、この停止復帰装置４７に対向する引戸２の上框１０に装置本体８を取り付けてあるが、枠体１に装置本体８を取り付け、引戸２に停止復帰装置４７を取り付けることもできる。
【００１４】
上記装置本体８の上記ストップ部材６は、図２において本体８のケース１７と蓋体１８の上端間に形成されたガイド溝１１に沿って引戸２の開閉方向に移動可能に設けられ、該ガイド溝１１の両端にはストップ部材６の戸先側への移動を制限する前進端ストッパー４８と、戸尻側への移動を制限する後進端ストッパー４９が設けられている。なお、図に示す実施例においては、上記ストップ部材は、上記ガイド溝に嵌着する幅狭部５０を設けて開閉方向に摺動するようにしてあるが、適宜のローラーを設けて該ローラーが本体の上部を転動して移動するようにしてもよいし、ストップ部材が開閉方向にほぼ水平に摺動するようガイドを設けてもよい（図示略）。ストップ部材がキッカーに４５に当接した際の上記後進端ストッパー４９とストップ部材６の後退側小口５２間の間隔は、少なくとも、引戸２を閉鎖方向に移動して戸先と枠体間に指詰防止に必要な間隔を形成したのち、引戸を完全に閉鎖できるよう引戸をさらに閉鎖方向に移動できる長さにしてある。
【００１５】
該ストップ部材６は、上記のように、中間に引戸の開閉方向に沿って凹む幅狭部５０を設けた扁平な略直方体形状に形成されて、下面には、図２において引戸の閉鎖方向に向かって水平でもよいが、緩やかに下方に傾斜する案内傾斜面１２と、この案内傾斜面１２に続いて下方に大きく傾斜する上記係合部５が設けられ、該係合部５の下端に続いて引戸２の上縁に沿って延びるよう水平面１３が形成され、該水平面１３の端部は角部１４を介して上方に延びている。この係合部５には、緩やかな隆起部を形成したり、凹部を設けて回動部材７の衝突部１５が、より確実に係合するようにしてもよい。また、ストップ部材６には、前進側小口５１と後退側小口５２が形成され、後退側小口５２の上端の角部５３を介して上記水平面とほぼ平行な上面５４が形成され、該小口５１、５２の一部と上面５４が装置本体８から突出している。
【００１６】
上記装置本体８は、上記引戸２の上框上面から隠蔽式に取り付けることもできるが、実施例では上框横から取り付ける構造を図示してあり、ねじ１６で取り付けられるケース１７と、このケース１７を覆う蓋体１８で箱状に構成され、上記ストップ部材６の係合部５に係合可能するよう斜面１９を介して突出する衝突部１５と横方向に延びる作用アーム部２０を有する上記回動部材７が回動可能に設けられている。該回動部材７は回動軸２１の外周に回転自在に遊嵌され、該回動軸２１は上記ケース１７と蓋体１８に形成した長孔２２に挿入されて引戸２の開閉方向に往復動可能に遊嵌されると共に引戸の閉鎖方向（戸先側）に向けて横方向に付勢されている。なお、長孔２２はケース若しくは蓋体側のいずれか一方に設けることもでき、蓋体を省略することもできる。図２に示す実施例では、ケース１７内のばね軸２３に捩りコイルばね２４の環状部を遊嵌し、該ばね２４の一端をケースに形成したブラケットやスリット等の支承部２５に当接させ、他端を上記回動軸２１の側面に当接させることにより該回動軸２１を引戸の閉鎖方向（戸先側）に付勢しているが、引張ばね等を用いて付勢するようにしてもよい。なお、上記長孔２２には、潤滑性を有する適宜のプラスチック材料で形成した摺動ガイド部材５５を孔縁に嵌着したり、上記回動軸に適宜の軸受（図示略）を設けて長孔内を転動若しくはスムーズに左右動できるようにすることもできる。また、回動軸２１と回動部材７を一体的に構成してもよい。
【００１７】
また、上記回動部材７は上記衝突部１５が上記ストップ部材６方向に突出するよう回動方向にも付勢されている。図２に示す実施例では、上記回動軸２１を中心として反時計方向に回転するよう作用アーム部２０側の重量を衝突部１５側の重量より重く形成してあるが、適宜のばね等の付勢手段を設けて付勢するようにしてもよい（図示略）。図２に示すように上記作用アーム部２０は、衝突部１５がストップ部材６に当接していない状態のとき、本体８に設けたホルダー２６の上面に着座している。
【００１８】
この際、振動、衝撃等で回動部材７が勝手に回動して衝突部１５が引戸（装置本体）内に後退しないようこの状態を確保するため、上記作用アーム部２０とホルダー２６には、磁性により吸着する構造を設けることが好ましい。図２においては、作用アーム部２０に磁石２７を設け、ホルダー２６に吸着板２８を設け、それぞれ取付孔に挿入してねじで固定してある。ホルダー２６側の吸着板２８は、上記磁石２７に吸着する材質の金属板で構成してあるが、上記磁石２７と極性の異なる磁石をホルダーに設けて吸着板としてもよい。このホルダー２６は、両側に設けたピン若しくはねじ２９をケース等に形成した案内溝３０に挿入し、本体の下方から調整ねじ３１をねじ込み、この調整ねじ３１を調整することにより図２において上下方向に移動して作用アーム部２０との間隔を調整して磁力を調整できるようにしてある。なお、ホルダー２６を用いずに適宜の部材により吸着板をケースに設けてもよい。
【００１９】
上記長孔２２の長さは、図２に示すように、引戸２が開放状態にあるとき、回動部材７が回動方向に作用する付勢力により作用アーム部２０がホルダー２６に着座すると共に上記ばね２４により戸先方向に作用する付勢力により回動軸２１が閉鎖側（戸先側）の孔端３２に当接し、後記するように、衝突部１５がストップ部材６の係合部５に係合して押圧されたとき上記ばね２４に抗して引戸２の開放方向（戸尻側）に所定量移動し、開放側（戸尻側）の孔端３３に当接する長さに形成してある。そして、このように引戸の開放側（戸尻側）に移動した位置で、上記作用アーム部２０に設けた上記磁石２７に対向するホルダー２６には、該磁石２７に近接することにより上記回動方向に回動部材７を付勢する上記付勢力よりも大きな反発力（斥力）を回動部材７に作用させるよう磁石（同極の磁石）３４が設けられている。これにより、回動部材７は上記衝突部１５がストップ部材６の係合部５から離れる方向（図２において時計方向）に回動し、ストップ部材６との係合が解除される。
【００２０】
上記停止復帰装置４７のキッカー４５は、側面視で矩形状に形成され、閉鎖位置に引戸が移動してきたとき、上記ストップ部材６が当接するような位置の枠体１にねじ５６で取り付けられているが、円柱状やストップ部材側からみて円板状に形成することもできる。復帰機構４６は、図２においては、該キッカー４５と別体に設けて枠体に取り付けてあるが、一体的に構成して枠体に取り付けることもでき、上記ストップ部材６に当接可能なドッグ５７を有する。該ドッグ５７は、先端にキッカー方向に向かって上昇する傾斜面５８が形成され、ドッグケース５９に設けた上下方向に延びる収納溝６０内に嵌挿され、ドッグケース５９に形成した案内溝６１に沿って上下動可能に設けたドッグ軸６２に遊嵌され、図２において時計方向に回動したとき収納溝６０の戸尻側の内壁面にドッグ５７の側面が当る位置まで時計方向に回動でき、反時計方向には自由に回動できるようドッグ５７の上端には弧状面６３が形成されている。また、該ドッグ５７に形成した肩部６４とドッグケース５９の内面に形成した肩部６５間には、上記ドッグ軸６２に装着したドッグばね（捩りコイルばね）６６の両端部が当接しており、該ドッグばね６６によりドッグ５７を装置本体方向、すなわち引戸の上縁方向に進退可能に突出させるとともに先端が時計方向に回動して突出する方向にドッグ５７を付勢している。この構成により、図２において、ドッグ５７は上下動可能であり、反時計方向には自由に回動するが、時計方向には、図２に示す状態までしか回動させることができない。
【００２１】
上記実施例による引戸２を閉鎖する際の動作を説明する。図５は、上記図２の状態で手動若しくは適宜の自動閉鎖装置（図示略）により引戸２に矢印３５方向に向かって移動する力、すなわち閉鎖力を作用させて引戸２を閉鎖方向に移動し、ストップ部材６が停止復帰装置４７のドッグ５７に近づいた状態を示している。そして、図６に示すように、ストップ部材６がドッグ５７に衝突すると、ドッグ５７は反時計方向には自由に回動可能であるから、該ドッグ５７を押し退けて引戸２は移動し、図７に示すようにドッグ５７の先端がストップ部材６の上面５４を摺動しながら図８に示すようにドッグ５７からストップ部材６が外れ、ストップ部材６の前進側小口５１がキッカー４５に当り、ストップ部材６の移動は停止される。
【００２２】
引戸にはさらに閉鎖方向の力が作用しているから、ストップ部材６がキッカー４５に当接した状態で引戸２は閉鎖方向に移動し、ストップ部材６の係合部５に回動部材７の衝突部１５が係合した状態で回動部材７の回動軸２１は、ばね２４による戸先方向の付勢作用に抗して上記閉鎖力により相対的に引戸２の開放方向（戸尻側）に長孔２２内を移動し（図９）、図１０に示すように、回動軸２１が戸尻側の孔端３３に当った位置で止まる（実際には、回動部材７はストップ部材６に当って横方向の移動が拘束されているので、停止しており、装置本体８のホルダー２６側が戸先側に移動している）。なお、この際、上記のようにホルダー２６に、上記作用アーム部２０側の上記磁石２７と引き合う吸着板２８を設けておくと、磁石の作用として吸着方向に引き剥がすには大きな力が必要であるので、引張方向には動きにくいが、せん断方向（横方向）には小さな力で動かすことができるので、作用アーム部２０がホルダー２６の上面に沿った状態で容易に回動部材７を移動させることができる。したがって、衝突部１５が係合部５に当ったときの衝撃で回動部材７の作用アーム部２０がホルダー２６の吸着板２８から離れる方向に飛び跳ねるようなおそれがなく、図９に示す状態から図１０に示す状態に確実に滑らかに移行させることができ、移行中は、回動部材７に設けた磁石２７とホルダー２６に設けた同極の磁石３４による同極面での最大の反発力を受ける直前まで吸着板２８に吸着されながら移動している。
【００２３】
このようにして、引戸２を閉鎖方向に作用する閉鎖力と衝突部１５をストップ部材方向に付勢するよう回動部材に付与した回動方向の付勢力により、上記衝突部１５と係合部５が押し付けられ、上記回動部材７は衝突部１５と係合部５が係合した状態でロックされ、引戸２の移動は一時的に停止する。これにより、ストップ部材６を適宜位置に設けることにより引戸２の戸先と枠体１間には、指詰防止の空間（間隙）４が確保される。
【００２４】
そして、上記引戸２を閉鎖しようとする力を緩めるか、引戸から手を離し、若しくは自動閉鎖装置併用の場合には引戸２をわずか開放方向に戻して引戸を閉鎖しようとする閉鎖力を一旦少なくし、若しくは消失させると、上記衝突部１５を係合部５に押し付けている力が消失若しくは少なくなるので、ロック状態が解除される。このとき、引戸２が停止した状態で、上記磁石２７と磁石３４がほぼ同位置で対向し最大の斥力を生じるように設けてあるから、上記回動部材７は回動方向に付勢している付勢力に打ち勝って上記磁石２７、３４による反発力により衝突部１５がストップ部材６の係合部５から離れる方向（図において時計方向）に自動的に回動し始める（図１１）。この回動中も上記回動部材７には、ばね２４により戸先方向に付勢力が働いているから、図１１鎖線で示すように、回動部材７は回動軸２１を中心に回動しつつ係合部５から外れた衝突部１５がストップ部材６の水平面１３を滑りながら、閉鎖方向に移動し、回動軸２１が戸先側の孔端３２に当接する位置で止まり、衝突部１５とストップ部材６の係合が外れた瞬間から引戸を閉鎖することができる。上記ホルダー２６側からの反発力は、上記磁石３４から作用アーム部２０の磁石２７が離れるので次第に弱くなり、かつ回動部材７に作用する回動方向の付勢力により、図１２に示すように、作用アーム部２０はホルダー２６に近づきつつ引戸の移動により衝突部１５がストップ部材６を超え、引戸を閉鎖位置まで移動させることができる。なお、上記のようにホルダー２６に作用アーム部２０側の磁石２７に吸着される吸着板２８を設けておけば、回動部材７を図１２に示す状態に確実に保持しておくことができ、閉鎖中に引戸が振動、衝撃を受けても回動部材がホルダーから簡単に外れることがない。
【００２５】
上記のようにして引戸２を完全に閉鎖した図１２の状態から開放する工程を説明すると、図１３に示すように、引戸２を開放位置に向けて矢印３６方向に移動すると、回動部材７の衝突部１５の後面に形成した斜面１９がストップ部材６の角部１４に当接し、ストップ部材６を戸尻方向に移動させると共に該ストップ部材の角部５３がドッグ５７の傾斜面５８に当ると、ストップ部材６は該ドッグ５７を上方に押し上げつつ戸尻方向への移動が一時的に制限される。この間に上記磁石２７と吸着板２８による吸着作用を徐々に引き剥がしつつ回動部材７は回動方向に付勢する付勢力に抗して時計方向に回動し、衝突部１５が水平面１３を滑りながら引戸とともに開放方向に移動する（図１４）。そして、水平面１３を外れると、図１５に示すように回動方向に作用する付勢力により反時計方向に回動して衝撃部１５は係合部５に対向する位置に移動するが、引戸２には開放方向（戸尻側）に力が作用しているので、回動部材７がロックされるおそれはない。上記ストップ部材６が完全にドッグ５７を押し上げるまでの間にストップ部材６は相対的に前進端ストッパー４８に当たる位置まで移動し、該ドッグ５７を通過すると、上記図６、図５に示すようにドッグ５７は復帰し、その後は引戸２を開放位置まで移動することができる。
【００２６】
引戸２が停止する際に、閉じる速度が著しく速い場合には、ストップ部材６がキッカー４５に当接した際、引戸２が跳ね返ったり、ストップ部材６や回動部材７が破壊するおそれがあるので、衝撃が作用しないよう適宜の元位置に復帰する衝撃緩和装置や制動装置をキッカーやストップ部材に設けることが好ましい。図１６には、キッカー側に衝撃緩和装置を設けた一例を示し、キッカー４５を移動可能に設け、該キッカーに作用する衝撃力を緩和する緩衝ばね３７と、該ばね３７によるキッカー４５の復帰動を遅延させるよう制動装置を設けている。制動装置（衝撃緩和装置）としては、油圧、空圧等を利用した各種の装置を用いることができるが図１６には、粘性流体の抵抗を用いたリニアダンパ３８を用いた実施例が示されている。図１６において、キッカー４５は、引戸２の開閉方向に延びるガイドケース３９内に摺動可能に設けられており、該ケース３９の一端側にはリニアダンパ３８が固定され、該リニアダンパ３８とキッカー４５の間には緩衝ばね（圧縮コイルばね）３７が設けられている。該リニアダンパ３８に挿通したスパイラルロッド４０の一端は、上記緩衝ばね３７の中心を通過してキッカー方向に延び、先端にはパイプ４１が固着され、該パイプ４１をキッカー４５に設けた一方向クラッチ４２に挿入し、スパイラルロッド４０がキッカーと共に軸方向に移動すると共に一方向にのみ回転できるようキッカーに連結している。
【００２７】
リニアダンパ３８内には公知のように上記スパイラルロッド４０の周面に形成したスパイラル状の溝や突条にねじ係合する制動板４３と油等の制動流体が収納されている。該制動板４３は上記スパイラルロッド４０が回転せずに軸方向に移動するときはスパイラル部の作用で回転するが、この回転は制動抵抗を受けているのでゆっくりとした回転であり、それによりスパイラルロッド４０の移動を制動することができる。スパイラルロッド４０が自由に回転できるときには、スパイラルロッド４０が軸方向に移動しても、単にスパイラルロッドが回転しながら軸方向に移動するだけで、上記制動板４３は回転しない。上記スパイラルロッドと制動板に形成するスパイラルの方向と一方向クラッチの関係は、図１６においてスパイラルロッドが引戸の閉鎖方向（戸先側）に移動するときには、一方向クラッチが空転しスパイラルロッドが自由に回転して制動板が回転せず、一方、引戸の開放方向（戸尻側）にスパイラルロッドが移動するときには一方向クラッチがスパイラルロッドの回転を拘束し該スパイラルロッドにねじ係合する制動板が回転してスパイルルロッドの軸方向の移動を制動するよう構成してある。
【００２８】
上記の構成により、図１６に示すように、引戸２が閉鎖方向に移動してキッカー４５にストップ部材６が衝突すると、上述のようにストップ部材６と回動部材７はロックされるが、この間に上記キッカー４５は衝撃を吸収しつつ緩衝ばね３７を圧縮しながら引戸２の閉鎖方向（戸先側）に移動するから、衝撃が緩和され、引戸を閉鎖する力と緩衝ばね３７の力が釣り合った場所で停止する。このとき、上記スパイラルロッド４０は、キッカー４５と一緒に戸先方向に移動するが、一方向クラッチ４２により空転可能状態に支持されているので、自由に回転するからリニアダンパ３８内の制動板４３を回転させることはなく、自身が回転しながら抵抗なく上記リニアダンパ３８内に滑り込む。
【００２９】
そして、引戸２の移動が停止した状態で引戸に作用する閉鎖力が弱められたり、消失したりすると、上述したように回動部材７は閉鎖方向（戸先側）に移動しながら回動してストップ部材６とのロック状態が解除されるが、キッカー４５を介してストップ部材６が上記緩衝ばね３７の復元力により戸尻側に直ちに強く押された状態であると、ロックの解除に支障を生じるおそれがある。そこで、キッカー４５が図１６の状態に戻るとき、上記一方向クラッチ４２によりスパイラルロッド４０の回転を拘束し、リニアダンパ３８による制動力をスパイラルロッド４０に作用させ、リニアダンパ３８とスパイラルロッド４０間で発生する抵抗によりスパイラルロッド４０がゆっくりと移動するようにしてある。これにより、上記キッカー４５は、緩衝ばね３７によりを徐々に戸尻方向に移動するから、図１６に示す状態に戻るまでの間に回動部材７とストップ部材６のロック状態を確実に解除することができる。なお、上記実施例においては、リニアダンパ３８の構造に対応してストップ部材６とリニアダンパ３８をスパイラルロッド４０で連結してあるが、制動装置（ダンパ）の構成や形式等によりリニアダンパではなく通常の空気或いは油圧シリンダーを連結部材として用いることもできる。
【００３０】
なお、上記図１６の実施例においては、キッカーをガイドケース内に移動可能に設けたが、図１７に示すように、上記ロッド６３の先端にキッカー４５を直接設け、緩衝ばねをダンパ６４内に内蔵させたり、ダンパを油圧、空圧機構で形成してもよいし、ストップ部材側に上記衝撃緩和装置とほぼ同様の装置を組み込んでもよい。なお、ストップ部材と回動部材間の衝撃を緩和するために、いずれか一方の部材に、適宜のプラスチック材料やゴム材料等で構成した緩衝部材を設けることもできる。
【００３１】
上記実施例においては、停止復帰装置４７を枠体１側に設け、装置本体８を引戸２側に設けたが、停止復帰装置４７を引戸２側に設け、装置本体８を枠１側に設けることもできる。この場合、回動部材の上下の方向が逆になるので、回動部材７を回動方向に付勢するための重量配分を上記実施例と変える必要がある。すなわち、回動軸２１を中心として反時計方向に回転して該衝突部１５がストップ部材６の係合部に係合するよう回動部材７の衝突部１５側の重量を作用アーム部２０側に比べて重く形成すればよいが、適宜のばねにより回動方向に付勢してもよい。
【００３２】
上記実施例は引戸を閉じるとき指等を挟み込まないよう引戸の戸先と枠体間に空間・間隙を形成した状態で装置本体内のストップ部材と回動部材をロックして一旦引戸の移動を停止し、その後、ロックを自動的に解除して完全に閉鎖できるようにしたが、上述したように、所望により引戸を開放する際に枠体との間に間隙を形成した状態で引戸の移動を一旦停止させるようにすることもできる。このような構成は、上記実施例に基づき当業者には容易に変更できる事項であるので詳細な説明は省略する。
【符号の説明】
【００３３】
１    枠体
２    引戸
５    係合部
６    ストップ部材
７    回動部材
８    本体
１５  衝突部
２０  作用アーム部
２１  回動軸
２２  長孔
２４  捩りコイルばね
２６  ホルダー
２７、２８、３４  磁石
３７  緩衝ばね
３８  リニアダンパ
４５  キッカー
４６  復帰機構
４７  停止復帰装置
５７  ドッグ
６６  ドッグばね
【図１】
0005798377.tif 000002
【図２】
0005798377.tif 000003
【図３】
0005798377.tif 000004
【図４】
0005798377.tif 000005
【図５】
0005798377.tif 000006
【図６】
0005798377.tif 000007
【図７】
0005798377.tif 000008
【図８】
0005798377.tif 000009
【図９】
0005798377.tif 000010
【図１０】
0005798377.tif 000011
【図１１】
0005798377.tif 000012
【図１２】
0005798377.tif 000013
【図１３】
0005798377.tif 000014
【図１４】
0005798377.tif 000015
【図１５】
0005798377.tif 000016
【図１６】
0005798377.tif 000017
【図１７】
0005798377.tif 000018